(57)【要約】【課題】  現在演奏されている楽曲の属性に対応した楽曲を容易に検索する。【解決手段】  一般検索モードにおける一般検索条件として、予め定めた複数の検索条件の中から選曲者が指定した検索条件を設定するための一般検索条件設定手段２２ａと、属性対応検索モードにおける属性対応検索条件として、一般検索モード以外の所定の検索モードであって、当該カラオケ演奏装置１１で現在演奏されている楽曲の属性に対応した当該検索モードにおける検索条件を設定するための属性対応検索条件設定手段２２ｂと、一般検索モードでは、設定された一般検索条件に基づく検索結果を抽出し、属性対応検索モードでは、設定された一般検索条件に加えて設定された属性対応検索条件に基づく検索結果を抽出するため検索結果抽出手段２２ｃと、抽出された検索結果を提示するための検索結果提示手段２２ｅと、を備える。【選択図】  図１
2010107910.tif 000002
【特許請求の範囲】
【請求項１】
カラオケ演奏装置においてカラオケ楽曲の検索を行う際に、当該カラオケ演奏装置で現在演奏されている楽曲の属性に対応させて検索を行うことが可能な楽曲検索結果提示システムであって、
一般検索条件設定手段と、属性対応検索条件設定手段と、検索結果抽出手段と、検索結果提示手段と、を備え、
前記一般検索条件設定手段は、一般検索モードにおける一般検索条件として、予め定めた複数の検索条件の中から選曲者が指定した検索条件を設定し、
前記属性対応検索条件設定手段は、属性対応検索モードにおける属性対応検索条件として、前記一般検索モード以外の所定の検索モードであって、当該カラオケ演奏装置で現在演奏されている楽曲の属性に対応した当該検索モードにおける検索条件を設定し、
前記検索結果抽出手段は、前記一般検索モードでは、前記設定された一般検索条件に基づく検索結果を抽出し、前記属性対応検索モードでは、前記設定された一般検索条件に加えて前記設定された属性対応検索条件に基づく検索結果を抽出し、
前記検索結果提示手段は、前記抽出された検索結果を提示する、
ことを特徴とする楽曲検索結果提示システム。
【発明の詳細な説明】
【技術分野】
【０００１】
本発明は、カラオケ演奏装置においてカラオケ楽曲の検索を行う際に、当該カラオケ演奏装置で現在演奏されている楽曲の属性に対応させて検索を行うことが可能な楽曲検索結果提示システムに関するものである。
【背景技術】
【０００２】
カラオケ演奏装置で選曲予約を行うためには、楽曲名、アーティスト名等に基づいて所望の楽曲を探し出す必要がある。現在のカラオケ演奏装置は、電子目次本機能を有しており、アーティスト検索、年代検索、ジャンル検索、新譜検索等の中から検索モードを指定してキーワードを入力することにより検索結果が一覧表示され、所望の楽曲を容易に選曲予約することができるようになっている。
【０００３】
ところで、複数メンバーからなるグループが個室を借り切り、カラオケ演奏装置を用いた歌唱を楽しむ形態が普及している。このように複数のメンバーが一堂に会して歌唱を楽しむ際には、個々人がそれぞれ他の利用者と無関係に歌唱を楽しむ場合とは違い、メンバーの連帯感が要求される。すなわち、メンバーを構成する各利用者が、それぞれ他のメンバーとは無関係な楽曲を選曲したのでは、いわゆる「場の雰囲気」が乱れてしまい、気のあったメンバー同士で歌唱を楽しもうという雰囲気を壊すことになる。例えば、他のメンバーがロックミュージックを歌唱している場合に、一人のメンバーのみが演歌を選曲して歌唱すると、せっかく盛り上がっていた雰囲気が一気にさめてしまう等、カラオケ演奏装置を用いた歌唱の楽しさを十分に味わうことができなくなってしまう。また、現在演奏されている楽曲を聴いて、当該楽曲に関連する楽曲を歌唱したいという要望が生じる場合が多々ある。
【０００４】
従来、現在演奏中の楽曲に関連した楽曲を選曲することを目的としたカラオケ演奏装置が提案されている（特許文献１参照）。この特許文献１に記載された技術は、現在演奏中の楽曲の歌詞画像や背景画像とは別の画像を表示することが可能な複数の表示装置を備えており、この表示装置において、現在演奏中の楽曲に関連した楽曲（例えば、歌手、作詞家、作曲家又は楽曲の季節やジャンルに関連した楽曲）を選曲するための情報を表示することができるようになっている。
【０００５】
【特許文献１】特開平１０−５５１８９号公報
【発明の開示】
【発明が解決しようとする課題】
【０００６】
しかし、上述した従来の技術は、例えば、現在演奏中の楽曲の歌手について、その持ち歌の選曲映像を表示装置に表示するだけであり、利用者が選曲を行うには、表示装置に表示された選曲映像を見ながら目的の楽曲を探し当て、その楽曲のコード等を特定した上で選曲装置に入力することにより、はじめて選曲指定を行うことができる。したがって、選曲操作が面倒なものとなり、現在演奏中の楽曲に関連した楽曲を容易に選曲できるとは言い難かった。
【０００７】
本発明は、上述した事情に鑑み提案されたもので、現在演奏されている楽曲の属性に対応した楽曲を、容易に検索することが可能な楽曲検索結果提示システムを提供することを目的とする。
【課題を解決するための手段】
【０００８】
本発明の楽曲検索結果提示システムは、上述した目的を達成するため、以下の特徴点を有している。すなわち、本発明の楽曲検索結果提示システムは、カラオケ演奏装置においてカラオケ楽曲の検索を行う際に、当該カラオケ演奏装置で現在演奏されている楽曲の属性に対応させて検索を行うことが可能なシステムであって、一般検索条件設定手段と、属性対応検索条件設定手段と、検索結果抽出手段と、検索結果提示手段と、を備えていることを特徴とするものである。
【０００９】
一般検索条件設定手段は、一般検索モードにおける一般検索条件として、予め定めた複数の検索条件の中から選曲者が指定した検索条件を設定するための手段である。属性対応検索条件設定手段は、属性対応検索モードにおける属性対応検索条件として、一般検索モード以外の所定の検索モードであって、当該カラオケ演奏装置で現在演奏されている楽曲の属性に対応した当該検索モードにおける検索条件を設定するための手段である。検索結果抽出手段は、一般検索モードでは、設定された一般検索条件に基づく検索結果を抽出し、属性対応検索モードでは、設定された一般検索条件に加えて設定された属性対応検索条件に基づく検索結果を抽出するための手段である。検索結果提示手段は、抽出された検索結果を提示するための手段である。
【００１０】
このような構成からなる楽曲検索結果提示システムでは、選曲者が、アーティスト検索、年代検索、ジャンル検索、新譜検索等の一般検索モードの中から所望の検索モードを指定すると、この指定に応じて、一般検索条件設定手段の機能により、選曲者が指定した検索条件が、一般検索条件として設定される。例えば、選曲者が選曲画面において年代検索モードを指定した場合には、年代に基づく一般検索が行われる。なお、年代検索条件として、例えば、１９７０年代、１９８０年代等の条件が設定される。
【００１１】
この設定状態にて、選曲者が属性対応検索モードを指定すると、属性対応検索モードへ移行する。そして、属性対応検索条件設定手段の機能により、設定された一般検索条件モード以外の検索モードであって、当該カラオケ演奏装置で現在演奏されている楽曲の属性に対応した所定の検索モードにおける検索条件を属性対応検索条件として設定する。上述した例では、年代検索モードが設定されているので、年代検索モード以外の検索モードであるアーティスト検索、ジャンル検索、新譜検索等の検索モードが所定の属性対応検索モードとなる。なお、一般検索条件設定手段により設定された検索モードと、属性対応検索条件設定手段により設定される属性対応検索モードとの組み合わせは、予め定められている。
【００１２】
そして、検索結果抽出手段の機能により、一般検索モードでは、設定された一般検索条件のみに基づく検索結果の抽出が行われる一方、属性対応検索モードでは、設定された一般検索条件に加えて属性対応検索条件に基づく検索結果の抽出が行われる。
【００１３】
続いて、検索結果提示手段の機能により、抽出された検索結果が提示される。例えば、カラオケリモコン装置の入出力表示部に、検索結果である楽曲を一覧表示する。この一覧表示において、一般検索条件設定手段により設定された検索条件に合致した楽曲を表示すると共に、属性対応検索条件にて絞り込まれた楽曲を強調表示してもよいし、属性対応検索条件にて絞り込まれた楽曲のみを表示してもよい。
【発明の効果】
【００１４】
本発明の楽曲検索結果提示システムによれば、選曲対象となる楽曲の検索を行う際に、現在演奏されている楽曲の属性に対応した所定の検索条件を用いて属性対応検索を行うことができる。したがって、複数メンバーからなるグループがカラオケ演奏装置を用いた歌唱を楽しんでいる場合に、いわゆる「場の雰囲気」に合致する楽曲を容易に検索することができるので、グループの雰囲気を盛り上げつつ、歌唱の楽しさを十分に味わうことが可能となる。また、現在演奏されている楽曲を聴いた利用者が、当該楽曲に関連する楽曲を歌唱したいと欲した場合に、目的の楽曲を容易に検索することが可能となる。
【発明を実施するための最良の形態】
【００１５】
以下、図面を参照して、本発明の楽曲検索結果提示システムの実施形態を説明する。
本発明の実施形態に係る楽曲検索結果提示システムは、カラオケ演奏装置においてカラオケ楽曲の検索を行う際に、当該カラオケ演奏装置で現在演奏されている楽曲の属性に対応させて検索を行うことが可能なシステムであり、カラオケ演奏装置の構成要素とされている。以下、本発明の実施形態に係る楽曲検索結果提示システムを適用するカラオケ演奏装置について説明する。
【００１６】
＜カラオケ演奏装置＞
図１は本発明の実施形態に係る楽曲検索結果提示システムを適用するカラオケ演奏装置のブロック図である。
本発明の実施形態に係るカラオケ演奏装置１１は、図１に示すように、カラオケ本体２１、カラオケリモコン装置２２、ミキシングアンプ２３、スピーカ２４、マイクロホン２５、ディスプレイ装置２６を備えている。カラオケ本体２１とディスプレイ装置２６とは、有線方式又は無線方式により接続されている。
【００１７】
＜カラオケリモコン装置＞
カラオケリモコン装置２２は、ユーザインタフェース機能を備えており、カラオケ本体２１の送受信手段３５に対して有線方式又は無線方式によりデータの送受信を行うようになっている。このカラオケリモコン装置２２は、一般検索条件設定手段２２ａとして機能するプログラムと、属性対応検索条件設定手段２２ｂとして機能するプログラムと、検索結果抽出手段２２ｃとして機能するプログラムと、楽曲索引データベース２２ｄと、検索結果提示手段２２ｅとして機能するプログラムと、データの送受信を行うための回路基板及びプログラムと、カードリーダ等からなる利用者ＩＤ取得手段２２ｆと、フラッシュメモリ等からなる記憶手段（図示せず）と、を備えている。
【００１８】
＜一般検索条件設定手段＞
一般検索条件設定手段２２ａは、一般検索モードにおける一般検索条件として、予め定めた複数の検索条件の中から選曲者が指定した検索条件を設定するためのプログラムからなる。カラオケリモコン装置２２の入出力用表示部には検索画面が表示されるが、この際、選曲者の所望により、アーティスト検索、年代検索、ジャンル検索、新譜検索等の一般検索モードを指定することができる。また、各一般検索モードでは、当該モードに対応した検索条件が設定される。例えば、年代検索モードにおける年代検索条件として、１９７０年代、１９８０年代等の条件が設定される。
【００１９】
＜属性対応検索条件設定手段＞
属性対応検索条件設定手段２２ｂは、属性対応検索モードにおける属性対応検索条件として、一般検索モード以外の所定の検索モードであって、カラオケ演奏装置１１で現在演奏されている楽曲の属性に対応した当該検索モードにおける検索条件を設定するためのプログラムからなる。例えば、一般検索モードとして年代検索が設定されると、年代検索以外の検索モードである、アーティスト検索、ジャンル検索、新譜検索等の検索モードが設定される。なお、一般検索モードと属性対応検索モードとの組み合わせは、予め定められている。例えば、一般検索モードとしてアーティスト検索が設定された場合には、属性対応検索モードとして年代検索が行われる。また、一般検索モードとして年代検索が設定された場合には、属性対応検索モードとしてアーティスト検索が行われる。さらに、一般検索モードとして新譜検索が設定された場合には、属性対応検索モードとしてジャンル検索が行われる。この場合、新譜検索と年代検索のように、組み合わせることができない検索モードも存在する。
【００２０】
＜検索結果抽出手段／楽曲索引データベース＞
検索結果抽出手段２２ｃは、楽曲索引データベース２２ｄを参照して、所定の検索条件に合致した楽曲を抽出するためのプログラムからなるが、一般検索モードでは、一般検索条件設定手段２２ａにより設定された一般検索条件に基づく検索結果を抽出し、属性対応検索モードでは、一般検索条件設定手段２２ａにより設定された一般検索条件に加えて、属性対応検索条件設定手段２２ｂにより設定された属性対応検索条件に基づく検索結果を抽出する。楽曲索引データベース２２ｄは、カラオケ演奏装置１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２１】
＜検索結果提示手段＞
検索結果提示手段２２ｅは、検索結果抽出手段２２ｃにより抽出された検索結果を提示するためのプログラムからなる。具体的には、検索結果提示手段２２ｅは、検索結果抽出手段２２ｃにより検索結果が抽出されると、カラオケリモコン装置２２の入出力表示部（図示せず）に、この検索結果を一覧表示する。この際、一般検索モードでは、一般検索条件設定手段２２ａにより設定された一般検索条件に合致した楽曲を表示する。また、属性対応検索モードでは、一般検索条件設定手段２２ａにより設定された一般検索条件に合致した楽曲のすべてを表示すると共に、これらの楽曲の中から属性対応検索条件に応じて絞り込まれた楽曲を上位に表示したり強調表示したりしてもよいし、属性対応検索条件に応じて絞り込まれた楽曲のみを表示してもよい。また、検索結果データを音声情報として、カラオケリモコン装置２２に組み込まれたスピーカ（図示せず）等から発生するようにしてもよい。
【００２２】
＜利用者ＩＤ取得手段＞
利用者ＩＤ取得手段２２ｆは、利用者がカラオケ演奏装置１１を利用する際に、利用者が所持するＩＤ媒体２７から利用者ＩＤを取得するための電子回路及びプログラムからなる。利用者ＩＤ取得手段２２ｆで取得した利用者ＩＤは、カラオケ本体２１のＲＡＭ３３に一時的に記憶され、ログイン利用者管理手段３７で管理される。ＩＤ媒体２７は、例えば、非接触型のＩＣカード、携帯電話、携帯情報端末等からなり、利用者ＩＤを記憶して、利用者ＩＤ取得手段２２ｆとの間でデータの送受信を行うことができるようになっている。
【００２３】
＜カラオケ本体＞
カラオケ本体２１は、中央制御手段３１、ＲＯＭ３２、ＲＡＭ３３、ＨＤＤ３４、送受信手段３５、予約管理手段３６、ログイン利用者管理手段３７、音楽再生制御手段３８、映像再生制御手段３９、演奏中楽曲管理手段４０を備えている。
【００２４】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたアプリケーションプログラムに従って動作することにより、制御機能を発揮することができるようになっている。
【００２５】
＜ＲＯＭ／ＲＡＭ＞
ＲＯＭ３２は、カラオケ本体２１を構成する各機器を制御するためのアプリケーションプログラムデータや数値データを記憶するための機器で、例えば半導体メモリ等で構成される。また、ＲＡＭ３３は、アプリケーションプログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａと演奏中楽曲データ３３ｂが一時的に格納されている。なお、演奏中楽曲データ３３ｂとは、属性対応検索モードで使用されるデータであり、演奏中楽曲管理手段４０により管理されている現在演奏中の楽曲に関する歌手名、流行時期、ジャンル等の属性データのことである。なお、演奏中楽曲データ３３ｂは、カラオケリモコン装置２２のＲＡＭに格納されていてもよい。
【００２６】
＜ＨＤＤ／楽曲データベース／映像データベース＞
ＨＤＤ３４には、楽曲データベース３４ａ及び映像データベース３４ｂが格納されている。なお、ＨＤＤ３４に替えて、あるいはＨＤＤ３４と共に、データを書き替え可能なＤＶＤ等の大容量記憶装置を用いてもよい。
【００２７】
楽曲データベース３４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース３４ｂは、演奏される楽曲に対応した背景映像を、当該楽曲の楽曲ＩＤに対応させた映像ファイルとして所定数格納したデータベースである。
【００２８】
＜ログイン利用者管理手段＞
ログイン利用者管理手段３７は、現に当該カラオケ演奏装置１１にログインしている利用者を、利用者ＩＤに基づき特定して管理するためのプログラムからなる。すなわち、ログイン利用者管理手段３７では、利用者ＩＤ取得手段２２ｆにより利用者ＩＤが取得された場合に、この利用者ＩＤに基づいてカラオケ演奏装置１１にログインしている利用者を特定して管理する。
【００２９】
＜音楽再生制御手段＞
音楽再生制御手段３８は、楽曲ＩＤに基づいて楽曲データベース３４ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段３８から送出される演奏音声信号とをミキシングすると共に、アンプ機能により増幅してスピーカ２４より出力させるための装置である。なお、マイクロホン２５の数は１本に限られず、２本以上であってもよい。
【００３０】
＜映像再生制御手段／ディスプレイ装置＞
映像再生制御手段３９は、カラオケ演奏中に、映像データベース３４ｂから抽出した映像データ、及び楽曲データベース３４ａから抽出した楽曲データのうちの歌詞テロップデータ（歌詞文字データ）を当該楽曲の演奏データに同期させてディスプレイ装置２６に出力するための電子回路である。さらに、映像再生制御手段３９は、カラオケリモコン装置２２を介した利用者からの操作指示による予約楽曲リストの表示等をディスプレイ装置２６に表示させる機能も有している。
【００３１】
ディスプレイ装置２６は、カラオケ演奏時の映像、歌詞テロップ等を表示するための装置で、例えば、ＣＲＴディスプレイ、液晶ディスプレイ、プラズマディスプレイ等により構成される。
【００３２】
＜予約管理手段＞
予約管理手段３６は、利用者によりカラオケリモコン装置２２における検索結果抽出手段２２ｃの機能を用いて選曲され、送受信手段３５を介して送信された当該選曲者の利用者情報（例えば利用者ＩＤ）及び選曲された楽曲ＩＤを対応付けて予約待ち行列３３ａとしてＲＡＭ３３に格納し、管理するためのプログラムである。なお、楽曲選択の表示や予約待ち行列３３ａの表示は、カラオケリモコン装置２２の入出力用表示部及びディスプレイ装置２６のいずれか一方、あるいは双方で行うことができる。
【００３３】
＜演奏中楽曲管理手段＞
演奏中楽曲管理手段４０は、カラオケ演奏装置１１において現在演奏中の楽曲に関するデータを管理するためのプログラムからなる。この演奏中楽曲管理手段４０で管理される楽曲のデータとは、現在演奏中の楽曲に関する歌手名、流行時期、ジャンル等の属性データのことであり、演奏中楽曲データ３３ｂとしてＲＡＭ３３に格納される。
【００３４】
＜送受信手段＞
送受信手段３５は、カラオケリモコン装置２２との間でデータの送受信を行うための電子回路及びプログラムからなる。
【００３５】
＜検索結果の提示＞
次に、本実施形態の楽曲検索結果提示システムを用いた検索結果の提示について説明する。図２は検索モード選択画面の模式図、図３は一般検索モードにおける検索条件設定画面の模式図、図４は属性対応検索モードにおける検索結果提示画面の模式図、図５は選曲画面の模式図である。なお、以下に説明する実施形態では、現在演奏中の楽曲について、アーティストＡ、１９８０年代、ロックミュージックという属性データが、演奏中楽曲データ３３ｂとしてＲＡＭ３３に格納されているものとする。
【００３６】
本実施形態の楽曲検索結果提示システムにおいて検索結果を提示するには、まず、図２に示すように、カラオケリモコン装置２２の入出力表示部の表示画面において検索モードを選択する。図２に示す例では、一般検索モードとして「年代検索」が選択されている。一般検索モードが選択されると、図３に示すように、検索条件設定画面に移行する。図３に示す例では、検索条件として１９７０年代が入力されているので、一般検索条件設定手段２２ａの機能により、「年代検索モード」及び「１９７０年代」が一般検索条件として設定される。
【００３７】
ここで、「お仲間検索」ボタンが操作されて属性対応検索モードが選択されると、属性対応検索モードへ移行する。なお、本実施形態においては、一般検索モードが「年代検索」である場合には、属性対応検索モードとして「アーティスト検索」が設定されるものとする。したがって、属性対応検索条件設定手段２２ｂの機能により、「アーティスト検索−アーティストＡ」が属性対応検索条件として設定される。
【００３８】
続いて、検索ボタンが操作されると、検索結果抽出手段２２ｃの機能により、一般検索条件である「年代検索−１９７０年代」に加えて、属性対応検索条件である「アーティスト検索−アーティストＡ」に基づく検索結果を抽出する。そして、図４に示すように、検索結果提示手段２２ｅの機能により、カラオケリモコン装置２２の入出力表示部に検索結果が一覧表示される。図４に示す例では、属性対応検索条件にて絞り込まれた検索結果のみが一覧表示されているが、一般検索条件である「年代検索−１９７０年代」の検索結果のすべてを一覧表示すると共に、属性対応検索条件にて絞り込まれた「アーティスト検索−アーティストＡ」の検索結果を上位に表示したり、強調表示したりしてもよい。
【００３９】
そして、一覧表示の中から所望の楽曲を選択指定すると、図５に示す選曲画面に移行し、キー設定等の指定を行って転送ボタンが操作されると、選曲された楽曲データが予約待ち行列３３ａに加えられる。
【００４０】
＜他の実施形態＞
本発明の楽曲検索結果提示システム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４１】
また、上述した実施形態は、カラオケ演奏装置１１をスタンドアロンで使用した例を示しているが、各カラオケ店舗等に設置されたカラオケ演奏装置１１を端末装置とし、インターネット回線等を用いて端末装置とホスト装置とをネットワーク接続した構成とすることもできる。この場合には、ホスト装置において、利用者情報である利用者ＩＤや歌唱履歴楽曲等を集中管理することにより、ネットワーク接続されたカラオケ演奏端末であれば、どのカラオケ演奏端末を利用した場合であっても同様のサービスを提供することができる。
【図面の簡単な説明】
【００４２】
【図１】本発明の実施形態に係る楽曲検索結果提示システムを適用するカラオケ演奏装置のブロック図。
【図２】検索モード選択画面の模式図。
【図３】一般検索モードにおける検索条件設定画面の模式図。
【図４】属性対応検索モードにおける検索結果提示画面の模式図。
【図５】選曲画面の模式図。
【符号の説明】
【００４３】
１１  カラオケ演奏装置
２１  カラオケ本体
２２  カラオケリモコン装置
２２ａ  一般検索条件設定手段
２２ｂ  属性対応検索条件設定手段
２２ｃ  検索結果抽出手段
２２ｄ  楽曲索引データベース
２２ｅ  検索結果提示手段
２２ｆ  利用者ＩＤ取得手段
２３  ミキシングアンプ
２４  スピーカ
２５  マイクロホン
２６  ディスプレイ装置
２７  ＩＤ媒体
３１  中央制御手段
３２  ＲＯＭ
３３  ＲＡＭ
３３ａ  予約待ち行列
３３ｂ  演奏中楽曲データ
３４  ＨＤＤ
３４ａ  楽曲データベース
３４ｂ  映像データベース
３５  送受信手段
３６  予約管理手段
３７  ログイン利用者管理手段
３８  音楽再生制御手段
３９  映像再生制御手段
４０  演奏中楽曲管理手段
【図１】
2010107910.tif 000003
【図２】
2010107910.tif 000004
【図３】
2010107910.tif 000005
【図４】
2010107910.tif 000006
【図５】
2010107910.tif 000007